(57)【要約】      （修正有）【課題】比較的重い光学パネルの柔軟な取り付けが可能なオートステレオスコピックディスプレイを提供する。【解決手段】光学パネル２００の周囲に沿って定位置に光学パネルを保持するための枠付き開口を画定する支持枠３００が設けられ、光学パネルが枠付き開口に挿入された場合、少なくとも１つの間隙が、支持枠と光学パネルの間に形成される。間隙の幅を埋めて光学パネルと支持枠の間に構造的接続を確立するために、間隙に挿入される間隔保持部材４００−４３０が設けられる。間隔保持部材は、間隙に挿入された後に相互に係合するくさびの対により形成される。重力などによる光学パネルからの応力は支持枠に伝わり、壊れやすい部品、たとえば表示パネルには伝わらない。また、間隔保持部材は間隙の長さに沿って自由に位置決めが可能であり、これにより、光学パネルの取り付けが柔軟となる。【選択図】図６ａ
0003207801.tif 000002
【実用新案登録請求の範囲】
【請求項１】
画素の配列を用いて表示データを表示するための表示パネル（１１０）と、
表示パネルと並行に位置決めされた光学パネル（２００）であって、表示データの立体視を可能にするために画素の配列のそれぞれのグループにより発せられた光を相異なる方向に向けるための光学素子の配列を備える、光学パネル（２００）と、
光学パネルの周囲に沿って定位置に光学パネルを保持するための枠付き開口を画定する支持枠（３００）であって、光学パネルが枠付き開口に挿入され、枠付き開口が少なくとも１つの寸法において光学パネルより大きく、これにより支持枠および光学パネルの間に少なくとも１つの間隙（ＤＴ）を形成する、支持枠（３００）と、
間隙の幅を埋めることで光学パネルおよび支持枠の間の構造的接続（６００）を確立するために、間隙に挿入される間隔保持部材（４００−４２０）であって、間隙（ＤＴ）に挿入された後に相互に係合して間隙の幅を埋める構造的接続（６００）を確立するように構成されたくさびの対（４００、４１０）により形成される、間隔保持部材と
を備える、オートステレオスコピックディスプレイ（１００）。
【請求項２】
くさびの対（４００、４１０）の各々が、テクスチャ加工表面（４０２、４１２）を有する傾斜面であって、くさびの対の他方のくさびの傾斜面と係合するための傾斜面を備え、くさびの対を、前記傾斜面を対向させて間隙に挿入して構造的接続（６００）を確立する、請求項１に記載のオートステレオスコピックディスプレイ（１００）。
【請求項３】
くさびの対（４００、４１０）のテクスチャ加工表面（４０２、４１２）が、互いに噛み合うことで相互に係合するそれぞれの鋸歯状表面により形成される、請求項２に記載のオートステレオスコピックディスプレイ（１００）。
【請求項４】
くさびの対（４００、４１０）が、
支持枠（３００）および／または光学パネル（２００）に取り付けられ、それによって支持枠および光学パネルの間にくさび状の間隙を設ける第１のくさび（４００）と、
くさび状の間隙に挿入されて、第１のくさびと係合する第２のくさび（４１０）と
を備える、請求項１から３のいずれか一項に記載のオートステレオスコピックディスプレイ（１００）。
【請求項５】
くさびの対（４００、４１０）がプラスチックまたはゴムでできている、請求項１から４のいずれか一項に記載のオートステレオスコピックディスプレイ（１００）。
【請求項６】
くさびの対（４００、４１０）の各々が、間隙の幅の実質的に０．５倍および０．７５倍の間である間隙（ＤＴ）の幅に沿ってくさび寸法（ＤＺ１）を有する、請求項１から５のいずれか一項に記載のオートステレオスコピックディスプレイ（１００）。
【請求項７】
少なくとも１つの寸法が、オートステレオスコピックディスプレイの幅に沿った長手寸法、またはオートステレオスコピックディスプレイの高さに沿った短手寸法である、請求項１から６のいずれか一項に記載のオートステレオスコピックディスプレイ（１００）。
【考案の詳細な説明】
【技術分野】
【０００１】
本考案は、画素の配列を用いて表示データを表示するための表示パネルと、表示データの立体視を可能にするために画素の配列のそれぞれのグループにより発せられた光を相異なる方向に向けるための光学素子の配列を備える光学パネルとを備えるオートステレオスコピック（ａｕｔｏｓｔｅｒｅｏｓｃｏｐｉｃ）ディスプレイに関する。本考案はさらに、オートステレオスコピックディスプレイを製造するための方法に関する。
【背景技術】
【０００２】
３Ｄディスプレイは、立体奥行き知覚を視聴者に提供するので、ますます人気が高まっている。いわゆるオートステレオスコピックディスプレイは、視聴者が偏光めがねまたはシャッター式めがねを着用する必要なく、前記立体奥行き知覚を与えることができる。その目的のために、オートステレオスコピックディスプレイは、画素の配列を用いて表示データを表示するための表示パネルに加えて、表示パネルの前に設けられた光学パネルであって、表示データの立体視を可能にするために画素の配列のそれぞれのグループにより発せられた光を相異なる方向に向けるための光学素子の配列を備える光学パネルを備える。そのような光学パネルの知られている例には、視差バリアおよびレンチキュラレンズアレイがある。後者のタイプを用いたオートステレオスコピックディスプレイの例が、Ｃ．ｖａｎ  Ｂｅｒｋｅｌら、題「Ｍｕｌｔｉｖｉｅｗ  ３Ｄ−ＬＣＤ」、ＳＰＩＥ  Ｐｒｏｃｅｅｄｉｎｇｓ  Ｖｏｌ．２６５３、１９９６年、３２−３９頁に掲載の論文、および英国特許出願公開第２１９６１６６号に記載されている。
【０００３】
光学素子が表示パネルの画素と正確に位置合わせされる必要があることを考慮して、光学パネルは通常、オートステレオスコピックディスプレイに永久的に取り付けられ、特に、光学素子の位置が画素の配列に対して固定されるように取り付けられる。しかしながら、光学パネルのそのような取り付けは、問題を引き起こすことがある。この理由は、光学パネルが通常、表示パネルに対して比較的厚くて重いことである。
【０００４】
ＷＯ２００７／０９６８１８に、オートステレオスコピックディスプレイにおけるレンチキュラアレイの取り付けが開示されている。レンチキュラアレイは表示パネルに取り付けられ、表示パネルはバックライトユニットに取り付けられる。レンチキュラアレイの取り付けを固定するために、横方向固定部材が、バックライトユニットとレンチキュラアレイの縁との間に直接配置され、それによって、表示パネルの平面に平行な方向におけるバックライトユニットおよびレンチキュラアレイの間の相対移動を防ぐようにする。横方向固定部材は、ねじ手段によりバックライトユニットに固定される。ねじ手段は、オートステレオスコピックディスプレイのベゼルをバックライトユニットに固定する働きもし得ると言われている。
【先行技術文献】
【特許文献】
【０００５】
【特許文献１】英国特許出願公開第２１９６１６６号明細書
【特許文献２】国際公開第２００７／０９６８１８号
【非特許文献】
【０００６】
【非特許文献１】Ｃ．ｖａｎ  Ｂｅｒｋｅｌら、「Ｍｕｌｔｉｖｉｅｗ  ３Ｄ−ＬＣＤ」、ＳＰＩＥ  Ｐｒｏｃｅｅｄｉｎｇｓ  Ｖｏｌ．２６５３、１９９６年、３２−３９頁
【考案の概要】
【考案が解決しようとする課題】
【０００７】
ＷＯ２００７／０９６８１８の横方向固定部材の欠点は、表示パネル等に比べて比較的重い光学パネルを取り付けるのに十分に適さないということである。
【０００８】
本考案の目的の１つは、比較的重い光学パネルにより適したオートステレオスコピックディスプレイにおける光学パネルの取り付けを提供することである。
【課題を解決するための手段】
【０００９】
本考案の第１の態様は、
−  画素の配列を用いて表示データを表示するための表示パネルと、
−  表示パネルと並行に位置決めされた光学パネルであって、表示データの立体視を可能にするために画素の配列のそれぞれのグループにより発せられた光を相異なる方向に向けるための光学素子の配列を備える、光学パネルと、
−  光学パネルの周囲に沿って定位置に光学パネルを保持するための枠付き開口を画定する支持枠であって、光学パネルが枠付き開口に挿入され、枠付き開口が少なくとも１つの寸法において光学パネルより大きく、これにより支持枠および光学パネルの間に少なくとも１つの間隙（ＤＴ）を形成する、支持枠と、
−  間隙の幅を埋めることで光学パネルおよび支持枠の間の構造的接続を確立するために、間隙に挿入される間隔保持部材と
を備える、オートステレオスコピックディスプレイを提供する。
【００１０】
本考案のさらなる態様は、オートステレオスコピックディスプレイを製造するための方法であって、オートステレオスコピックディスプレイが画素の配列を用いて表示データを表示するための表示パネルを備え、方法が、
−  表示パネルに平行して位置決めされるための光学パネルを提供することであって、光学パネルが、表示データの立体視を可能にするために画素の配列のそれぞれのグループにより発せられた光を相異なる方向に向けるための光学素子の配列を備える、提供することと、
−  光学パネルの周囲に沿って定位置に光学パネルを保持するための枠付き開口を画定する支持枠を提供することであって、枠付き開口が少なくとも１つの寸法において光学パネルより大きい、提供することと、
−  枠付き開口へ光学パネルを挿入し、それによって支持枠および光学パネルの間に少なくとも１つの間隙を形成することと、
−  間隙の幅を埋めることで光学パネルおよび支持枠の間の構造的接続を確立するために、間隙に間隔保持部材を挿入することと
を備える、方法を提供する。
【００１１】
上記の措置により、表示パネルにより発せられた光を異なる方向に向けることで、表示パネルに表示された表示データの立体視を可能にする働きをする光学パネルが提供される。そのような光学パネルは、それ自体がオートステレオスコピックディスプレイの分野で知られており、レンチキュラレンズアレイおよび視差バリアを含む。光学パネルは通常、表示パネルと類似した幅、高さおよびアスペクト比を有し、幅および／または高さの偏位は典型的には小さく、製造上の理由で意図されたものである。光学パネルは、オートステレオスコピックディスプレイに取り付けられることになる。その目的のために、オートステレオスコピックディスプレイは、光学パネルを保持するための枠、すなわち支持枠が設けられる。支持枠は、光学パネルをその側方から、すなわち周状に囲むための枠付き開口を提供する。支持枠は、それ自体がオートステレオスコピックディスプレイの分野で知られていることがあり、たとえば、オートステレオスコピックディスプレイのベゼルである。支持枠が、オートステレオスコピックディスプレイの一体部分、特に荷重支持構造部分とすることができることに留意されたい。
【００１２】
枠付き開口は、少なくとも１つの寸法において、たとえば水平方向または垂直方向において、光学パネルより大きい。したがって、光学パネルを囲む場合、前記寸法に沿って支持枠および光学パネルの間に少なくとも１つの間隙が存在する。間隙があるので、支持枠は、間隙の幅に沿った方向に定位置に光学パネルを保持しない。したがって、光学パネルは、十分に大きな力を受けると、間隙の方向に移動することがある。そのような移動を防ぐために、間隙の幅を埋める間隔保持部材が間隙に挿入され、これにより光学パネルと支持枠との間に構造的接続が確立される。したがって間隔保持部材は寸法決めされるか、または、間隙の幅に実質的に等しい寸法とすることができる。ここで間隙の幅は、オートステレオスコピックディスプレイを正面から見た場合の、間隙の伸長方向の長さ（ｅｌｏｎｇａｔｅｄ  ｌｅｎｇｔｈ）に実質的に垂直な間隙の寸法、すなわち、間隙の２つの可視寸法のうちの短い方を指す。
【００１３】
光学パネルを表示パネルへ、特にそのバックライトユニットへ取り付けることは、光学パネルが表示パネルに比べて比較的重い場合に、表示パネルへかなりの応力がかかるので不利であることを考案者らは認識した。たとえば、４２インチのオートステレオスコピックディスプレイでは、バックライトユニットを含む表示パネルが３．４ｋｇの重さであり得るのに対して、光学パネルは１０ｋｇの重さであり得る。重さの差がより少ない場合であっても、表示パネルは依然として、オートステレオスコピックディスプレイの比較的壊れやすい部品である。光学パネルを囲む支持枠を設けることにより、光学パネルの側方から定位置に光学パネルを保持することができる構造が確立される。支持枠および光学パネルの間の間隙の幅を埋めるための間隔保持部材を設け、間隔保持部材を間隙に挿入することで、構造的接続が支持枠および光学パネルの間に確立される。したがって、光学パネルが、支持枠により間隔保持部材を介して定位置に保持される。有利なことに、光学パネルが重力などの力を受けた場合に光学パネルにより加えられる応力は支持枠に伝達され、これにより、より壊れやすい表示パネルへの応力が回避または低減される。他の利点は、間隔保持部材が間隙の長さに沿って自由に位置決め可能であるので、表示パネルのバックライトユニットにおいてねじ穴が設けられる位置に制限されるＷＯ２００７／０９６８１８の横方向固定部材よりも取り付けの柔軟性がさらに高くなることである。
【００１４】
任意選択で、間隔保持部材は、間隙に挿入された後に相互に係合して間隙の幅を埋める構造的接続を確立するように構成されたくさびの対により形成される。くさびは、三角形の断面を有するテーパ形状である。くさびは、物体間の間隙または空間を埋めるために用いられることが知られている。そのようなくさびを表す他の用語は、くさび型シム（ｗｅｄｇｅ  ｓｈｉｍ）である。本考案のこの態様は、機械的に相互作用して係合構造を形成するという点で相互に係合するくさびの対を使用する。係合構造は、間隙の幅を埋めるように寸法決めされ、これにより、光学パネルおよび支持枠の間に構造的接続を提供する。くさびの対が間隔保持部材として好適であることを考案者らは認識した。この理由は、くさびの対を用いて高さ調節可能な係合構造を形成することができ、これにより、くさびの対を用いて様々な幅の間隙を埋めることができることである。特に、くさびの対を用いて、２つの平行面を有する積層構造を、２つの平行面の間の距離をくさびの対の積層方法に応じて可変にして、形成することができる。有利には、所与のくさびの対を用いて、異なる寸法の間隙を埋めることが可能である。考案者らがさらに認識したのは、ＷＯ２００７／０９６８１８の横方向固定部材と比較して、くさびの対はより良い構造的接続を提供することであり、その理由は、横方向固定部材がバックライトにねじで固定されることで、点状の構造的接続が提供され、この接続がバックライトに応力を不均一に分布させるためである。しかしながら、くさびの対は、光学パネルおよび支持枠の間に細長い構造的接続を提供し、これにより、光学パネルにより加えられる応力が支持枠へより均一に分布する。
【００１５】
任意選択で、くさびの対の各々は、テクスチャ加工表面を有する傾斜面であって、くさびの対の他方のくさびの傾斜面と係合するための傾斜面を備え、くさびの対を、前記傾斜面を対向させて間隙に挿入して構造的接続を確立する。ここで、テクスチャ加工表面という用語は、表面の少なくとも一部に垂直偏位（ｖｅｒｔｉｃａｌ  ｄｅｖｉａｔｉｏｎ）を含む表面を指す。テクスチャ加工表面により、くさびの対が互いに、すなわち、それぞれの表面の間に生じる摩擦または噛み合いによって、より良く係合することが可能になる。有利なことに、個々のくさびを互いから離れる方向にスライドさせるくさびの対に加えられる力のせいで、くさびの対が簡単に相互に係脱することが回避される。有利なことに、互いに対面する傾斜面により、光学パネルおよび支持枠にそれぞれ押し付けることができる２つの平行面を提供する係合構造が形成される。くさびの正確な形状次第で、傾斜面が斜辺とも呼ばれることに留意されたい。有利なことに、くさびの対をしっかりと間隙に押し込むことができ、これにより確実に安定して嵌合し、したがって光学パネルが確実に安定して取り付けられる。
【００１６】
任意選択で、くさびの対のテクスチャ加工表面は、互いに噛み合うことで相互に係合するそれぞれの鋸歯状表面により形成される。鋸歯状表面は、くさびの対が互いに噛み合うことで相互に係合することを可能にするので、くさびの対の係合をさらに改善する。有利なことに、光学パネルがより安定して取り付けられる。
【００１７】
任意選択で、くさびの対は、
−  支持枠および／または光学パネルに取り付けられ、それによって支持枠および光学パネルの間にくさび状の間隙を設ける第１のくさびと、
−  くさび状の間隙に挿入されて、第１のくさびと係合する第２のくさびと
を備える。
【００１８】
まず、第１のくさびを支持枠および／または光学パネルに取り付けることで、結果として得られるくさび状の間隙に第２のくさびを簡単に挿入することができ、これにより、光学パネルを支持枠に構造的に接続する係合構造が確立される。したがって、光学パネルを都合の良い方法で支持枠に取り付けることで、オートステレオスコピックディスプレイが得られる。
【００１９】
任意選択で、くさびの対はプラスチックまたはゴムでできている。プラスチックおよびゴムは、柔軟性を含む様々な理由で好適である。たとえば、各くさびは、アクリロニトリルブタジエンスチレン（ＡＢＳ）または別の種類の熱可塑性物質で作られてもよい。特に、柔軟性により、くさびの対を間隙にさらにしっかりと押し込むことができ、すなわち、光学パネルおよび支持枠の間の間隙の局部形状に適合するようにわずかに変形することで、これが可能となる。
【００２０】
任意選択で、くさびの対の各々は、間隙の幅の実質的に０．５倍および０．７５倍の間である間隙の幅に沿ったくさび寸法を有する。傾斜面を互いに対面させてくさびの対を積層することで、少なくとも間隙の幅を埋める高さを有する係合構造が得られる。したがって、くさびの対を、間隙にしっかりと押し込むことができる。
【００２１】
任意選択で、少なくとも１つの寸法は、オートステレオスコピックディスプレイの幅に沿った長手寸法、またはオートステレオスコピックディスプレイの高さに沿った短手寸法である。
【００２２】
任意選択で、間隔保持部材は、間隙に挿入された場合に拡大して間隙の幅を埋めるように構成された機械的に拡大可能な構造により構成される。したがって間隔保持部材は、間隔保持部材を少なくとも１つの寸法で拡大させるメカニズムから構成される。有利なことに、間隔保持部材は、最初は、間隙に簡単に適合する外形寸法とすることができ、これにより、間隔保持部材を簡単に間隙に挿入することが可能となる。挿入後、間隔保持部材は拡大して、間隙にしっかりと押し入ることができる。
【００２３】
任意選択で、間隔保持部材は、ねじアンカー型構造である。ねじアンカーは、ねじが挿入されると拡大するよく知られている構造である。間隔保持部材は、ねじまたは類似構造が挿入されると拡大するという点で類似した方法で構築することができる。
【００２４】
任意選択で、間隔保持部材は、間隙の幅を埋める構造的接続を確立するように相互に係合可能なくさびの対により形成され、オートステレオスコピックディスプレイを製造する方法における間隔保持部材を挿入することは、
−  くさびの対の第１のくさびを間隙に挿入して、支持枠および光学パネルの間にくさび状の間隙を設けることと、
−  くさびの対の第２のくさびをくさび状の間隙に挿入して、第１のくさびと係合することと
を備える。
【００２５】
オートステレオスコピックディスプレイを製造する上記の方法は好都合であり、その理由は、くさびの各々が簡単に個別に間隙に挿入でき、しっかりと間隙に押し入るように間隙への前記挿入を行った後でのみ係合構造が形成されるためである。
【００２６】
任意選択で、オートステレオスコピックディスプレイを製造する方法は、第２のくさびを挿入する前に、第１のくさびを支持枠および／または光学パネルに取り付けることをさらに備える。第１のくさびを支持枠および／または光学パネルに取り付けることで、くさびの対がより安定した嵌合が得られ、したがって、光学パネルがより安定して取り付けられる。
【００２７】
任意選択で、最初に述べた間隙に加えて、光学パネルの反対側の支持パネルおよび光学パネルの間に反対側の間隙が形成され、オートステレオスコピックディスプレイは、反対側の間隙に挿入されるさらなる間隔保持部材を備える。したがって光学パネルは、支持枠により間隔保持部材を介して２つの反対の側から定位置に保持される。有利なことに、光学パネルを、簡単に支持枠に対して中央配置することができる。
【００２８】
本考案のこれらおよび他の態様は、以下に記載の実施形態から明らかとなり、それらを参照して解明されるであろう。
【図面の簡単な説明】
【００２９】
【図１】表示パネルと、光学パネルと、オートステレオスコピックディスプレイのベゼルの形の支持枠とを備えるオートステレオスコピックディスプレイの図である。
【図２ａ】オートステレオスコピックディスプレイのコーナーの拡大図である。
【図２ｂ】オートステレオスコピックディスプレイの拡大図の断面図である。
【図３ａ】くさびの対で形成された間隔保持部材であって、第１のくさびが光学パネルおよび支持枠の間の間隙に挿入されており、それによってくさび状の間隙が形成されており、第２のくさびがくさび状の間隙に挿入される、間隔保持部材の図である。
【図３ｂ】第２のくさびが挿入された結果、すなわち、くさびの対が相互に係合して間隙の幅を埋める係合構造を形成した結果の図である。
【図４】ねじアンカー型構造により形成された間隔保持部材の図である。
【図５】くさびの対のうちの１つのくさびのクローズアップ図である。
【図６ａ】異なるくさびの対がコーナーのそれぞれの辺に挿入された後の、オートステレオスコピックディスプレイのコーナーの１つの図である。
【図６ｂ】異なるくさびの対がコーナーのそれぞれの辺に挿入された後の、オートステレオスコピックディスプレイのコーナーの１つの図である。
【図６ｃ】異なるくさびの対がコーナーのそれぞれの辺に挿入された後の、オートステレオスコピックディスプレイのコーナーの１つの図である。
【図７】オートステレオスコピックディスプレイを製造する方法の図である。
【考案を実施するための形態】
【００３０】
異なる図面において同一の参照番号を有する項目が、同一の構造的特徴および同一の機能を有するか、または同一の信号であることに留意されたい。かかる項目の機能および／または構造が説明済みである場合、詳細な説明において、それを繰り返し説明する必要はない。
【００３１】
図１に、表示パネル１１０と、光学パネル２００と、オートステレオスコピックディスプレイのベゼルの形の支持枠３００とを備えるオートステレオスコピックディスプレイ１００を示す。オートステレオスコピックディスプレイ１００は、視覚的な形式で情報を表現する電子デバイスである。図１には、典型的な視聴位置、すなわち、表示パネル１１０の発光前面に対向する位置からのオートステレオスコピックディスプレイ１００が示されている。オートステレオスコピックディスプレイ１００は、立位で示されている。したがって、上下左右などの相対的な配向への任意の参照は、立位で位置決めされたオートステレオスコピックディスプレイ１００を見た場合の配向を指す。図１には、表示パネル１１０の前に置かれた光学パネル２００が示されており、表示パネル１１０の輪郭のみが示されている。輪郭が見える理由は、例として、図１の表示パネル１１０が光学パネル２００よりわずかに長い対角線を有することである。
【００３２】
表示パネル１１０は、画素の配列を用いて表示データを表示するように構成されており、光学パネル２００は、表示データの立体視を可能にするために画素の配列のそれぞれのグループにより発せられた光を相異なる方向に向けるための光学素子の配列を備える。表示パネル１１０および光学パネル２００の各々は、知られているタイプのものでよい。たとえば、表示パネル１１０は、バックライト、サイドライトまたはフロントライトの液晶ディスプレイ（ＬＣＤ）パネルとすることができ、光学パネル２００は、ガラスまたは半透明プラスチック製のレンチキュラレンズアレイとすることができる。
【００３３】
支持枠３００は、光学パネルの周囲に沿って、すなわち、光学パネルの１つまたは複数の辺から定位置に光学パネル２００を保持するための枠付き開口を画定する。光学パネル２００は、実質的に枠付き開口により画定される平面に、すなわち同一平面状に位置決めされるように、枠付き開口に挿入される。結果として、支持枠３００は、光学パネル２００をその側方から囲む。枠付き開口は、少なくとも１つの寸法において光学パネル２００より大きい。図１の例では、支持枠３００は、光学パネルより高いかつ広い、すなわち、より大きい高さおよび幅を有する枠付き開口を画定する。したがって、同様に図１に示されるように、光学パネル２００が支持枠３００の枠付き開口内で中央に位置する場合に、光学パネル２００の４つ全ての辺に細長い間隙が形成される。
【００３４】
図２ａに、オートステレオスコピックディスプレイ１００のコーナーの拡大図を示し、前記コーナーは図１で破線の四角ＺＶとして示されている。加えて、図２ｂに、図２ａに示されたような線ＣＳに沿ったオートステレオスコピックディスプレイの拡大図の断面図を示す。光学パネル２００の上方に上側間隙ＤＴが存在し、上側間隙は両矢印で示された幅を有することが分かる。さらに、左手側間隙ＤＬが光学パネル２００の左側に存在し、左手側間隙は両矢印で示された幅を有する。
【００３５】
図３ａ、図３ｂおよび図４に、オートステレオスコピックディスプレイ１００の前述のコーナーにおいて上側間隙に挿入された間隔保持部材を示す。しかしながら、その間隔保持部材、またはさらなる間隔保持部材を、光学パネル２００の他の辺における間隙、たとえば左手側間隙、右手側間隙、または下側間隙、あるいは上側間隙に沿った異なる位置に挿入することもできることに留意されたい。
【００３６】
図３ａに、上側の間隙ＤＴに挿入されて、間隙ＤＴの幅を埋めることで光学パネル２００および支持枠３００の間に構造的接続を確立する間隔保持部材を示す。間隔はくさびの対４００、４１０により形成され、くさびの対は、間隙ＤＴに挿入された後に相互に係合して、間隙の幅を埋める構造的接続６００を形成する。くさび４００、４１０の各々は、直角三角形の断面を有するくさび型シムにより構成される。しかしながら、くさび型を確立するように断面がテーパ形状を提供するのであれば、くさびの各々は他の三角形の形状をとることもできることは理解されよう。図３ａの例では、くさびの対４００、４１０の各々は、表面４０２、４１２を有する傾斜面であって、くさびの対の他方のくさびの傾斜面と係合するための傾斜面を備える。くさびが直角三角形の断面を有するので、前記傾斜面は斜辺とも呼ばれる。図３ａに、くさびの対の第１のくさび４００が間隙ＤＴに挿入済みであり、これにより支持枠３００および光学パネル２００の間に実質的にくさび状の間隙が設けられた結果を示す。図３ａにさらに、矢印５００によって、くさびの対の第２のくさび４１０が第１のくさび４００と係合するためにくさび状の間隙に挿入されることを示す。
【００３７】
図３ｂに、第２のくさび４１０が挿入された結果、すなわち、くさびの対４００、４１０が相互に係合して係合構造を形成した結果を示す。係合構造は、光学パネル２００および支持枠３００の間の間隙ＤＴの幅を埋める構造的接続６００を確立する。傾斜面に沿って互いに対して異なるように位置決め可能なくさびの対４００、４１０により、係合構造を可変の高さをとることができることが分かる。結果として、係合構造は、前記くさびの対４００、４１０の個々のくさびの高さより大きい幅を有する間隙を埋めることができる高さをとることができる。
【００３８】
くさびの対に加えられる圧力によってくさびの対４００、４１０が係脱することを防ぐために、傾斜面の各々は、テクスチャ加工表面４０２、４１２を有することができる。テクスチャ加工表面４０２、４１２は、たとえばそれぞれの表面に沿って適切な大きさおよび／または振動数の垂直偏位を有することで、くさびの対４００、４１０がしっかりと互いに係合することを可能にするのに十分な一定量の表面摩擦を与えるように構成することができる。図３ａおよび図３ｂに示されていないが図５を参照すると、テクスチャ加工表面４０２、４１２は、特に、互いに噛み合うことで相互に係合するそれぞれの鋸歯状表面により形成することができる。したがって、垂直偏位をのこぎり形状とすることで、前記噛み合いによってくさびの対の傾斜面の各々の間にしっかりとした係合を与えることができる。
【００３９】
図４に、間隙ＤＴに挿入された場合に拡大して間隙の幅を埋めるために、拡大可能に構成された間隔保持部材４４０を示す。図４の間隔保持部材４４０は、図３ａおよび図３ｂに示されたくさびの対４００、４１０の代替物を構成する。図４の例では、間隔保持部材４４０は、間隔保持部材４４０へねじ４４２のねじ込み５１０を行うと拡大するように構成されたねじアンカー型構造であるように示されている。間隔保持部材４４０の拡大は、図４で矢印５２０によって示されており、間隙ＤＴの幅を埋めるように外形寸法を増加させる方向に拡大する。したがって、間隔保持部材４４０を、間隙ＤＴにしっかりと押し込むことができる。間隔保持部材が、間隙の幅を埋めることができるさらなる別の形態を取ってもよいことは理解されよう。たとえば、間隔保持部材は、間隙ＤＴに押し込むことができるゴム構造により構成することができる。特に、間隔保持部材は、間隙ＤＴの幅をわずかに超える外形寸法を有することができ、間隔保持部材は圧縮性材料で作られており、これはひいては、間隔保持部材を適切に圧縮することで間隙に間隔保持部材を押し込むことが可能となる。
【００４０】
図５に、くさびの対のうちのくさび４００のクローズアップ図を示す。くさび４００は、平坦なテーパ形状を有し、また、鋸歯状表面４０２であって、（図５に示されていない）くさびの対の他方のくさび４１０の鋸歯状表面と噛み合うための鋸歯状表面４０２を有する傾斜面を有する。図５の例では、くさび４００は、１５ｍｍの長さＤＸと、６ｍｍの高さＤＹと、テーパ形状を提供するために２．７ｍｍから０．３ｍｍに減少する厚さＤＺ１、ＤＺ２とを有するように示されている。しかしながら、くさびの対は異なって寸法決めされてもよく、すなわち、くさびの対が光学パネルおよび支持枠の間の特定の間隙に嵌合するようにしてもよいことに留意されたい。くさび４００は、熱可塑性物質、たとえばＡＢＳまたは任意の別の適切な材料で作ることができる。たとえば、くさび４００は、ゴム、木材、金属、別の種類のプラスチックなどで作ることができる。
【００４１】
図６ａ−６ｃに、２つのくさびの対がコーナーのそれぞれの辺に挿入された後の、オートステレオスコピックディスプレイ１００のコーナーの異なる視図を示す。特に、図６ａ−６ｃに、コーナーの一辺、すなわち上側間隙ＤＴに挿入された第１のくさびの対４００、４１０と、コーナーのもう一方の辺、すなわち左手側間隙ＤＬに挿入された第２のくさびの対４２０、４３０とを示す。オートステレオスコピックディスプレイ１００の４つのコーナーの各々において２つのくさびの対を用いることで、光学パネル２００を支持フレーム３００に対して完全にしっかりと固定できることは理解されよう。したがって、全部で８つのくさびの対を用いて、光学パネル２００の確実な取り付けを得ることができる。しかしながらこれは限定ではなく、その理由は、より少ないまたは多い固定部材を用いてもよく、それはひいてはオートステレオスコピックディスプレイ１００の前述のコーナー以外の位置に挿入することもできるためである。たとえば、固定部材は、間隙の各々の長さに沿った中間に挿入してもよく、これにより光学パネル２００を４つの固定部材で取り付けることができる。別の例では、第１の固定部材を各間隙の長さの１／３に挿入し、第２の固定部材を前記長さの２／３に挿入してもよい。
【００４２】
光学パネル２００の好都合な取り付けを可能とするために、くさびの対４００、４１０を、間隙ＤＴへ順次挿入することができる。たとえば、第１のくさびの対４００、４１０を参照すると、その第１のくさび４００を間隙ＤＴに挿入し、それによって支持枠３００および光学パネル２００の間にくさび状の間隙を設けることができる。次いで、第２のくさび４１０を、オートステレオスコピックディスプレイ１００の組み立て中にくさび状の間隙に挿入して、第１のくさび４００と係合することができる。取り付けをさらに容易にするために、第１のくさび４００を、支持枠３００および／または光学パネル２００に取り付けることができ、これにより、第２のくさび４１０をくさび状の間隙に挿入する際に、第１のくさび４００が滑ることを防止する。たとえば、第２のくさび４１０の挿入の方向に沿って定位置に第１のくさび４００を維持する制止部材３１０を設けてもよく、これにより第１のくさび４００が滑ることを防止する。制止部材３１０は、支持枠３００に取り付けられるかまたはその一部であるフック状構造により設けることができる。代替の取り付け形態が、同様に可能である。たとえば、第１のくさび４００を、支持枠３００および／または光学パネル２００に接着する、ステープル止めする、または他の方法で固定することができる。
【００４３】
図７に、オートステレオスコピックディスプレイを製造する方法７００を示す。ここで、製造するという用語は、組み立ておよび取り付けなどのステップを指す。方法７００を用いて、図１−６ｃのオートステレオスコピックディスプレイ１００を製造することができる。しかしながらこれは限定ではなく、その理由は、方法７００を用いて、異なる種類のオートステレオスコピックディスプレイ、たとえば、支持枠および光学パネルの間の間隙がより広いまたは狭いもの、異なる種類の支持枠を有するものなどを製造することもできるためである。オートステレオスコピックディスプレイは、画素の配列を用いて表示データを表示するための表示パネルを備える。方法７００は、「光学パネルを提供すること」と題されたステップにおいて、表示パネルに平行して位置決めされるための光学パネルを提供すること７１０であって、光学パネルが、表示データの立体視を可能にするために画素の配列のそれぞれのグループにより発せられた光を相異なる方向に向けるための光学素子の配列を備える、提供すること７１０を備える。方法７００は、「支持枠を設けること」と題されたステップにおいて、光学パネルの周囲に沿って定位置に光学パネルを保持するための枠付き開口を画定する支持枠を提供すること７２０であって、枠付き開口が少なくとも１つの寸法において光学パネルより大きい、提供すること７２０をさらに備える。方法７００は、「光学パネルを挿入すること」と題されたステップにおいて、枠付き開口へ光学パネルを挿入し、それによって支持枠および光学パネルの間に少なくとも１つの間隙を形成すること７３０をさらに備える。方法７００は、「間隔保持部材を挿入すること」と題されたステップにおいて、間隙の幅を埋めることで光学パネルおよび支持枠の間の構造的接続を確立するために、間隙に間隔保持部材を挿入すること７４０をさらに備える。光学パネルを提供すること７１０のステップおよび支持枠を提供すること７２０のステップが、任意の適切な順序で、たとえば同時に、または図７とは逆順で実行できることは理解されよう。
【００４４】
方法７００において、間隔保持部材は、間隙の幅を埋める構造的接続を確立するように相互に係合可能であるくさびの対により形成することができる。この場合、間隔保持部材を挿入すること７４０のステップは、「第１のくさびを挿入すること」と題された第１のサブステップとして、くさびの対の第１のくさびを間隙に挿入して、支持枠および光学パネルの間にくさび状の間隙を設けること７４２を備えることができる。挿入すること７４０のステップは、「第２のくさびを挿入すること」と題された第２のサブステップとして、くさびの対の第２のくさびをくさび状の間隙に挿入して、第１のくさびと係合すること７４４をさらに備えることができる。
【００４５】
方法７００は、「第１のくさびを取り付けること」と題された中間ステップをさらに備えることができ、中間ステップは、第２のくさびを挿入する前に、第１のくさびを支持枠および／または光学パネルに取り付けることを備える。たとえば、第１のくさびは、図６ａ−６ｃで先に示した制止部材３１０を用いて支持枠に取り付けることができる。
【００４６】
上述の実施形態が本考案を限定ではなく例示していること、および、当業者が多数の代替の実施形態を設計できるであろうことに留意されたい。
【００４７】
実用新案登録請求の範囲において、括弧内のいかなる参照符号も、その請求項を限定するものと解釈してはならない。「備える（ｃｏｍｐｒｉｓｅ）」という動詞およびその活用形の使用は、実用新案登録請求の範囲に記載された以外の要素またはステップの存在を排除するものではない。ある要素に前置される「１つの（ａ）」または「１つの（ａｎ）」という冠詞は、かかる要素が複数存在することを排除するものではない。本考案は、いくつかの別個の要素を備えるハードウェアによって、および、適切にプログラムされたコンピュータによって実装することができる。いくつかの手段を列挙したデバイス請求項において、これらの手段のうちいくつかは、１つの同一のハードウェア項目により具体化することができる。特定の措置が相異なる従属請求項に列挙されているという単なる事実は、これらの措置の組合せが有利に使用できないことを示すものではない。
【図１】
0003207801.tif 000003
【図２ａ】
0003207801.tif 000004
【図２ｂ】
0003207801.tif 000005
【図３ａ】
0003207801.tif 000006
【図３ｂ】
0003207801.tif 000007
【図４】
0003207801.tif 000008
【図５】
0003207801.tif 000009
【図６ａ】
0003207801.tif 000010
【図６ｂ】
0003207801.tif 000011
【図６ｃ】
0003207801.tif 000012
【図７】
0003207801.tif 000013